(57)【要約】【課題】  音響機器に対して、該機器と設置面との間に特殊な構造のインシュレーターを介在させ、また、特殊な方法を用いることにより、原音を忠実に再現できるインシュレーター及びインシュレーターの使用方法を開発・提供することにある。【解決手段】  上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端に、窪み（３ａ）を穿設し、該窪み（３ａ）にボール（Ｘ）を嵌着したことを特徴とするインシュレーターから構成され、かつ、下部インシュレーター（２）の、円錐状の突起（３）を受ける凹部（４）に潤滑油（Ｙ）を適量注入することを特徴とするインシュレーターの使用方法からなる。【選択図】  図１
2006279178.tif 000002
【特許請求の範囲】
【請求項１】
上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端に、窪み（３ａ）を穿設し、該窪み（３ａ）にボール（Ｘ）を嵌着したことを特徴とするインシュレーター。
【請求項２】
上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端と接触する凹部（４）内に、潤滑油（Ｙ）を適量注入することを特徴とするインシュレーターの使用方法。
【発明の詳細な説明】
【技術分野】
【０００１】
この発明は、スピーカーシステム等の音響機器から発生する振動を制御するために、機器と設置面との間に介在させるインシュレーター及びインシュレーターの使用方法に関するものである。
【背景技術】
【０００２】
従来より、スピーカーシステム、オーディオ装置等の音響機器は、自ずから振動を発生するものであるが、この振動を抑えることにより音質を向上させることが可能であり、そのため、通常、音響機器と設置面との間に、インシュレーターを介して設置することが一般的に認められている。
【０００３】
そして、この音響機器を設置する場所は、荷重に従って歪みが生ずるため理想的な水平面を維持することが難しく、そのため、音響機器の底面の３ケ所に配置する三点支持で設置することが一般的である。
【０００４】
そのため、インシュレーターは、音響機器の底面の３ケ所に配置する三点支持すると共に、インシュレーター自体の構造は、音響機器から発せられる振動が、設置面に伝わることを抑えるため、最小限の面積を介して設置面と接触するよう配慮されている。
【０００５】
しかし、下部インシュレーターに三個の小球体を設置し、これら小球体を上部インシュレーターの大球で接する構造のインシュレーターが存在するが、三点で支持するため、支持部分、即ち、接触部分は多いものである。例えば、特許文献１のように。
【０００６】
さらに、上部インシュレーターに設けた円錐形の突起と、下部インシュレーターには、該円錐形の突起を受ける凹部を形成したインシュレーターが存在するが、凹部にも、円錐形の突起を受ける尖鋭なすり鉢状となっているため、音響機器の振動により、応力が極端に一点に集中し、傷などが発生する恐れがあった。例えば、特許文献２のように。
【特許文献１】特開２００５−２４０６７号公報
【特許文献２】実開平７−４４８８７号公報
【発明の開示】
【発明が解決しようとする課題】
【０００７】
そこで、この発明は、音響機器に対して、該機器と設置面との間に特殊な構造のインシュレーターを介在させ、また、特殊な方法を用いることにより、原音を忠実に再現できるインシュレーター及びインシュレーターの使用方法を開発・提供することにある。
【課題を解決するための手段】
【０００８】
この発明によるインシュレーターおよびその使用方法は、上部（１）と下部（２）とに分離し、上部（１）は下方に向けて円錐状の突起（３）を有し、下部（２）は、円錐状の突起を受ける凹部（４）を有するインシュレーターにおいて、円錐状の突起（３）の先端に、凹部（３ａ）を穿設し、該凹部にボール（Ｘ）を嵌着したことを特徴とするインシュレーターから構成される。
【０００９】
また、この発明の他の実施例を図面に基づいて説明すると、上部（１）と下部（２）とに分離し、上部（１）は下方に向けて円錐状の突起（３）を有し、下部（２）は、円錐状の突起を受ける凹部（４）を有するインシュレーターにおいて、円錐状の突起（３）の先端と接触する開口部（２ａ）に、潤滑油（Ｙ）を入れたことを特徴とするインシュレーターの使用方法から構成される。
【発明の効果】
【００１０】
この発明によると、上部インシュレーター（１）の円錐状の突起（３）の先端にボール（Ｘ）を嵌着したことにより、音響機器の振動により、下部インシュレーター（２）との摩擦が解消され、応力が一点に集中することがなく、傷等が発生しにくいものである。
【００１１】
又、下インシュレーターの凹部（４）に潤滑油（Ｙ）を注入するため、上部インシュレーター（１）の円錐状の突起（３）と、下部インシュレーター（２）の、円錐状の突起を受ける凹部（４）とが、円滑に作動し、また、潤滑油（Ｙ）は蒸発し難いため、その管理が煩雑でなく便利である等、極めて有益なる効果を奏するものである。
【発明を実施するための最良の形態】
【００１２】
以下、この発明の一実施例を図１及び図２に基づいて説明すると、上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端に、窪み（３ａ）を穿設し、該窪み（３ａ）にボール（Ｘ）を嵌着したことを特徴とするインシュレーターから構成される。
【００１３】
尚、上部インシュレーター（１）に設けた円錐状の突起（３）の先端は、図１に示すように、アール状に形成したものでもよいものである。また、上部インシュレーター（１）の上面と、下部インシュレーター（２）の下面には、それぞれ、適宜な厚みを有し、かつ、環状の輪（５ａ）（５ｂ）を設け、音響機器（Ａ）や設置面（Ｂ）との防滑手段としてもよい。
【００１４】
次に、この発明の他の実施例を図１及び図２に基づいて詳述すると、上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端と接触する凹部（４）に、潤滑油（Ｙ）を適量注入することを特徴とするインシュレーターの使用方法から構成される。
【産業上の利用可能性】
【００１５】
この発明の技術を確立し、実施・製造することにより産業上の利用可能性を有する。
【図面の簡単な説明】
【００１６】
【図１】この発明の一実施例を示す一部欠截正面図である。
【図２】この発明の上部インシュレーターの一実施例を示す一部欠截断面図である。
【符号の説明】
【００１７】
１  上部インシュレーター
２  下部インシュレーター
３  円錐状の突起
３ａ  窪み
４  凹部
５ａ，５ｂ  環状の輪
Ａ  音響機器
Ｂ  設置面
Ｘ  ボール
Ｙ  潤滑油
【図１】
2006279178.tif 000003
【図２】
2006279178.tif 000004